(57)【要約】【課題】撮影機能に影響を及ぼすことなく、撮像素子やフィルターにごみが付着することを防止できるレンズ交換可能なデジタルカメラを提供する。【解決手段】撮像素子１３やフィルター１２よりもマウント１４側に、開閉可能な保護シャッター３０を備え、撮影レンズ１５を取り外す前に、保護シャッター操作レバー４０を回転させ、保護シャッター３０を閉じることにより、撮像素子１３やフィルター１２をマウント１４側の空間から遮断し、ごみが付着することを防ぐ。また、保護シャッター３０の開閉に連動してファインダ接眼窓２４を遮るアイピースシャッター５０を備えることにより、保護シャッター３０を閉じたまま誤って撮影することを防ぐ。【選択図】図１
2005266152.tif 000002
【特許請求の範囲】
【請求項１】
被写体の画像情報を検知する撮像素子と、
光学系が着脱可能に装着される開口部と、
前記撮像素子よりも前記開口部側に配置され、前記撮像素子を前記開口部側の空間から遮断する開閉可能な保護部と、
を備えるデジタルカメラ。
【請求項２】
請求項１に記載のデジタルカメラにおいて、
前記撮像素子よりも前記開口部側に、透明又は半透明なフィルターを備え、
前記保護部は、前記フィルターよりも前記開口部側に配置されること、
を特徴とするデジタルカメラ。
【請求項３】
請求項１又は請求項２に記載のデジタルカメラにおいて、
前記保護部は、前記光学系を取り外す動作に連動して閉じること、
を特徴とするデジタルカメラ。
【請求項４】
請求項１から請求項３のいずれか１項に記載のデジタルカメラにおいて、
前記保護部が閉じるとき及び／又は閉じているときに、撮影者が誤って撮影することを防ぐ誤撮影防止手段を有すること、
を特徴とするデジタルカメラ。
【請求項５】
請求項４に記載のデジタルカメラにおいて、
前記誤撮影防止手段は、前記保護部の閉じる動作に連動し、光学式ファインダの被写体像の少なくとも一部を遮る遮光部を有すること、
を特徴とするデジタルカメラ。
【請求項６】
請求項５に記載のデジタルカメラにおいて、
前記遮光部は、前記保護部の閉じる動作に連動して、前記光学式ファインダの被写体像の少なくとも一部を遮るアイピースシャッターであること、
を特徴とするデジタルカメラ。
【請求項７】
請求項５に記載のデジタルカメラにおいて、
前記撮像素子よりも前記開口部側に前記光学式ファインダへ被写体像を導くミラーを有し、
前記ミラーは、前記保護部の閉じる動作に連動してミラーアップ状態となって、前記遮光部として機能すること、
を特徴とするデジタルカメラ。
【請求項８】
請求項４に記載のデジタルカメラにおいて、
前記誤撮影防止手段は、前記保護部が閉じるとき及び／又は閉じているときに、警告を出力する出力部を有すること、
を特徴とするデジタルカメラ。
【請求項９】
請求項４に記載のデジタルカメラにおいて、
前記誤撮影防止手段は、前記保護部が閉じるとき及び／又は閉じているときに、撮影機能を制限する制限部を有すること、
を特徴とするデジタルカメラ。
【請求項１０】
請求項９に記載のデジタルカメラにおいて、
前記制限部により撮影機能が制限されているときに、レリーズ操作に連動して警告を出力する出力部を有すること、
を特徴とするデジタルカメラ。
【発明の詳細な説明】
【技術分野】
【０００１】
本発明は、レンズ交換可能なデジタルカメラに関するものである。
【背景技術】
【０００２】
従来、この種のデジタルカメラは、画像情報を検知する撮像素子を備えており、この撮像素子の撮像面にごみや汚れ、傷等（以下総称して“ごみ”と呼ぶ）が付着すると、その画素部位に光が正しく入射しない。そのため、付着したごみが排除されない限り、以後の画像データに悪影響が生じたままとなるという問題があった。また、撮像素子の撮像面がフィルムと比較して大幅に小さいデジタルカメラの場合には、撮像面に付着したごみの影響は、相対的に大きくなるという問題があった。
【０００３】
デジタルカメラは、レンズを装着している限り、その内部は簡易的な密封状態にあるので、ごみは、撮像素子に付着しにくい。しかし、撮像素子は、レンズ交換のたびに、カメラ外部の環境と直接触れることとなり、撮像面にごみが付着する恐れがあった。そのため、レンズ交換可能な一眼レフ式デジタルカメラ等では、レンズ交換時に撮像素子の撮像面にごみが付着しないように、細心の注意を払うことが必要とされたが、ごみの付着を完全に阻止することはできないという問題があった。
【０００４】
従来のデジタルカメラは、撮像素子をごみの付着から保護し、撮影する画像の赤外域の成分を調整するフィルターを、撮像素子の被写体側に備えていた。このフィルターは、撮像素子をごみの付着から保護することについて一定の効果がある。しかし、従来のデジタルカメラは、フィルターと撮像素子の撮像面とが近接しているため、フィルターにごみが付着すると、撮影された画像データに悪影響が生じるという問題があった。
この問題を解決するために、特許文献１は、メインミラーを蓋とし、ミラーボックスを密閉構造とすることにより、撮像素子を防塵する手法を開示している。
【０００５】
しかし、特許文献１に記載された手法では、メインミラーを蓋とし、ミラーボックスを完全に密閉するために非常にコストがかかってしまう。また、この手法は、メインミラーの裏面側に撮像素子及び撮像素子への画像導入部を配置するため、メインミラーの可動部の質量が増大し、可動部の移動速度の低下が懸念されるという問題があった。
【特許文献１】特開２０００−２４１８７３号公報
【発明の開示】
【発明が解決しようとする課題】
【０００６】
本発明の課題は、撮影機能に影響を及ぼすことなく、撮像素子やフィルターにごみが付着することを防止できるレンズ交換可能なデジタルカメラを、安価で提供することである。
【課題を解決するための手段】
【０００７】
本発明は、以下のような解決手段により、前記課題を解決する。なお、理解を容易にするために、本発明の実施例に対応する符号を付して説明するが、これに限定されるものではない。
請求項１の発明は、被写体の画像情報を検知する撮像素子（１３）と、光学系（１５）が着脱可能に装着される開口部（１４）と、前記撮像素子（１３）よりも前記開口部（１４）側に配置され、前記撮像素子（１３）を前記開口部（１４）側の空間から遮断する開閉可能な保護部（３０）と、を備えるデジタルカメラである。
【０００８】
請求項２の発明は、請求項１に記載のデジタルカメラにおいて、前記撮像素子（１３）よりも前記開口部（１４）側に、透明又は半透明なフィルター（１２）を備え、前記保護部（３０）は、前記フィルター（１２）よりも前記開口部（１４）側に配置されること、を特徴とするデジタルカメラである。
【０００９】
請求項３の発明は、請求項１又は請求項２に記載のデジタルカメラにおいて、前記保護部（３０）は、前記光学系（１５）を取り外す動作に連動して閉じること、を特徴とするデジタルカメラである。
【００１０】
請求項４の発明は、請求項１から請求項３のいずれか１項に記載のデジタルカメラにおいて、前記保護部（３０）が閉じるとき及び／又は閉じているときに、撮影者が誤って撮影することを防ぐ誤撮影防止手段（５０、６１）を有すること、を特徴とするデジタルカメラである。
【００１１】
請求項５の発明は、請求項４に記載のデジタルカメラにおいて、前記誤撮影防止手段（５０、６１）は、前記保護部（３０）の閉じる動作に連動し、光学式ファインダ（２４）の被写体像の少なくとも一部を遮る遮光部（５０、６１）を有すること、を特徴とするデジタルカメラである。
【００１２】
請求項６の発明は、請求項５に記載のデジタルカメラにおいて、前記遮光部（５０）は、前記保護部（３０）の閉じる動作に連動して、前記光学式ファインダ（２４）の被写体像の少なくとも一部を遮るアイピースシャッター（５０）であること、を特徴とするデジタルカメラである。
【００１３】
請求項７の発明は、請求項５に記載のデジタルカメラにおいて、
前記撮像素子（１３）よりも前記開口部（１４）側に前記光学式ファインダ（２４）へ被写体像を導くミラー（６１）を有し、前記ミラー（６１）は、前記保護部（３０）の閉じる動作に連動してミラーアップ状態となって、前記遮光部（６１）として機能すること、を特徴とするデジタルカメラである。
【００１４】
請求項８の発明は、請求項４に記載のデジタルカメラにおいて、前記誤撮影防止手段は、前記保護部（３０）が閉じるとき及び／又は閉じているときに、警告を出力する出力部を有すること、を特徴とするデジタルカメラである。
【００１５】
請求項９の発明は、請求項４に記載のデジタルカメラにおいて、前記誤撮影防止手段は、前記保護部（３０）が閉じるとき及び／又は閉じているときに、撮影機能を制限する制限部を有すること、を特徴とするデジタルカメラである。
【００１６】
請求項１０の発明は、請求項９に記載のデジタルカメラにおいて、前記制限部により撮影機能が制限されているときに、レリーズ操作に連動して警告を出力する出力部を有すること、を特徴とするデジタルカメラである。
【発明の効果】
【００１７】
本発明によれば、以下の効果を奏することができる。
（１）撮像素子よりも開口部側に、撮像素子を開口部側の空間から遮断する開閉可能な保護部を配置することにより、撮像素子にごみが付着することを防止できる。保護部は、撮影動作とは独立して動作する部材であるので、撮影機能に影響を及ぼすことはなく、また、簡易な部材を用いているので、安価で実施できる。
【００１８】
（２）保護部は、撮像素子よりも開口部側に透明又は半透明なフィルターを備え、そのフィルターよりも開口部側に保護部を配置することにより、フィルターにごみが付着することを防止できる。
【００１９】
（３）保護部は、光学系を取り外す動作に連動して閉じるので、撮影者が保護部を閉じ忘れたまま光学系を取り外すことを防止できる。
【００２０】
（４）誤撮影防止手段は、保護部が閉じるとき及び／又は閉じているときに、撮影者が誤って撮影することを防止できる。
【００２１】
（５）誤撮影防止手段は、保護部が閉じる動作に連動して、光学式ファインダの被写体像の少なくとも一部を遮ることにより、保護部が閉じていることを撮影者に知らせる遮光部を有するので、撮影者が保護部を閉じたまま誤って撮影することを防止できる。
【００２２】
（６）遮光部は、保護部が閉じる動作に連動して、光学式ファインダの被写体像の少なくとも一部を遮るアイピースシャッターであるので、保護部が閉じていることを撮影者に知らせることができ、撮影者が保護部を閉じたまま誤って撮影することを防止できる。また、アイピースシャッターを備えているデジタルカメラの場合には、そのアイピースシャッターを利用することができるので、安価で実施できる。
【００２３】
（７）ミラーは、保護部が閉じる動作に連動して、ミラーアップ状態となり、遮光部として機能するので、保護部が閉じていることを撮影者に知らせることができ、撮影者が保護部を閉じたまま誤って撮影することを防止できる。また、ミラーは、通常カメラに備えられている部材であるので、安価で実施できる。
【００２４】
（８）出力部は、保護部が閉じるとき及び／又は閉じているときに、警告を出力することにより、保護部が閉じること及び／又は閉じていることを撮影者に知らせるので、撮影者が保護部を閉じたまま誤って撮影することを防止できる。
【００２５】
（９）制限部は、保護部が閉じるとき及び／又は閉じているときに、撮影機能を制限するので、撮影者が保護部を閉じたまま誤って撮影することを防止できる。
【００２６】
（１０）出力部は、撮影機能が制限されているときに、レリーズ操作に連動して、警告を出力するので、撮影機能が制限されていることを撮影者に知らせることができる。
【発明を実施するための最良の形態】
【００２７】
本発明は、レンズ交換可能であるデジタルカメラの撮像素子やフィルターにごみが付着することを防ぐという目的を、撮像素子やフィルターよりも開口部側に、開閉可能な保護部を配置することにより実現した。
【実施例１】
【００２８】
図１は、本発明の実施例１のデジタルカメラを示す断面図である。
図２は、実施例１のデジタルカメラにおいて、保護シャッター３０が開いている状態を示す透視図であり、図３は、実施例１のデジタルカメラにおいて、保護シャッター３０が閉じている状態を示す透視図である。
【００２９】
実施例１のデジタルカメラは、シャッター１１と、フィルター１２と、撮像素子１３と、マウント１４と、撮影レンズ１５と、ミラー１６と、ファインダ接眼窓２４と、保護シャッター３０と、保護シャッター操作レバー４０と、アイピースシャッター５０とを備えた一眼レフ式デジタルカメラである。
撮像素子１３は、被写体の画像情報を検知する素子である。
フィルター１２は、撮像素子１３よりマウント１４側に設けられ、撮像素子１３にごみが付着することを防ぎ、撮影する被写体の画像情報の赤外域の成分を調節する。
マウント１４は、カメラボディ１０に撮影レンズ１５を着脱可能に装着することができ、開口部を有する部材である。
撮影レンズ１５は、カメラボディ１０内部に被写体像を形成する光束を導く光学系である。なお、本明細書及び特許請求の範囲において、被写体像を形成する光束を含めて被写体像と呼ぶ。
【００３０】
撮影レンズ１５によりカメラボディ１０内部に導かれた被写体像は、少なくとも一部がハーフミラーであるミラー１６によりスクリーン１９へ導かれ、像を結ぶ。スクリーン１９で結ばれた被写体像は、ペンタミラー２１へ導かれ、ペンタミラー２１内で反射し、接眼絞り２２及び接眼レンズ２３を通り、ファインダ接眼窓２４から観察される。また、被写体像の一部は、ミラー１６を通過し、ミラー１６の裏面側に配置されたサブミラー１７により、カメラボディ１０底部に配置されたＡＦ装置１８へ導かれる。
撮影するときには、レリーズ操作に連動して、不図示の制御部が、不図示の駆動部によりミラー１６及びサブミラー１７をミラーアップ状態へと駆動した後に、シャッター１１が所定時間開かれる。被写体像は、フィルター１２を通り、撮像素子１３の撮像面で撮影される。
【００３１】
次に、保護シャッター３０、保護シャッター操作レバー４０、アイピースシャッター５０について説明する。なお、説明する便宜上、カメラのペンタミラー２１側を上方向、カメラボディ１０底部側を下方向とし、カメラ背面側から見て右を右方向、左を左方向とする。また、回転方向に関しては、カメラ背面側から見た方向を規準とする。
【００３２】
（保護部の構成に関する説明）
保護シャッター３０は、シャッター１１よりもマウント１４側かつミラー１６よりも撮像素子１３側に設けられた、開閉可能な保護部であり、略矩形の金属板である羽根部材３１、３２、３４、３５と、腕部３３とを有する。また、保護シャッター３０は、後述する動作により閉じたときに、シャッター１１の開口領域全体を完全に覆う。
羽根部材３１は、上辺の右側に設けられた孔３１１と、左辺側に設けられた孔３１２とを有する略矩形の金属板である。孔３１２は、略矩形であり、上側に端部３１２ａと、下側に端部３１２ｂとを有する。端部３１２ａ、３１２ｂは、後述する動作時に、後述するボス３２１に当接するように形成されている。
羽根部材３２は、左辺側に、羽根部材３１に設けられた孔３１２と係合するボス３２１を有する略矩形の金属板であり、不図示の付勢部材により、シャッター１１の開口領域上方に付勢されている。
【００３３】
腕部３３は、Ｌ字型の金属板であり、その一端は後述する羽根部材３４の右辺と固定されており、もう一端に孔３３１を設けている。羽根部材３４は、左辺側に孔３４１を有する略矩形の金属板である。孔３４１は、略矩形であり、上側に端部３４１ａと、下側に端部３４１ｂとを有する。端部３４１ａ、３４１ｂは、後述する動作時に、後述のボス３５１に当接するように形成されている。
羽根部材３５は、左辺側に、羽根部材３４に設けられた孔３４１と係合するボス３５１を有する略矩形の金属板である。羽根部材３５は、不図示の付勢部材により、シャッター１１の開口領域下方に付勢されている。
【００３４】
保護シャッター操作レバー４０は、カメラボディ１０外部の背面右上側に設けられ、棒状の腕部４１、４２、４３を備えた、左右に回転可能な円盤状のレバーである。腕部４１、４２、４３は、保護シャッター操作レバー４０を中心として、その回転方向にそれぞれ所定量回転するように設けられている。なお、腕部４１、４２、４３は、それぞれの腕部がなす角度を保ったまま、保護シャッター操作レバー４０と一体となって回転するように設けてもよい。
腕部４１は、先端部分に、羽根部材３１に設けられた孔３１１と係合するボス４１１を有する。腕部４２は、先端部分に、腕部３３に設けられた孔３３１と係合するボス４２１を有する。腕部４３は、先端部分に、後述する羽根部材５１に設けられた孔５１１と嵌合するボス４３１を有する。
【００３５】
（誤撮影防止手段に関する説明）
アイピースシャッター５０は、接眼絞り２２と接眼レンズ２３との間に設けられた遮光部であり、略矩形の板状の羽根部材５１、５２を有する。また、アイピースシャッター５０は、後述する動作により、ファインダ接眼窓２４の被写体像全体を覆う。
羽根部材５１は、孔５１１、５１２を有する略矩形の板である。孔５１１は、腕部４３の先端部分に設けられたボス４３１と嵌合する。孔５１１は、ボス４３１との関係により、羽根部材５１の位置を決め、羽根部材５１が腕部４３と一体となって移動するように固定する機能を果たす。孔５１２は、略矩形であり、保護シャッター操作レバー４０を中心とした回転方向の右側に端部５１２ａを有し、左側に端部５１２ｂを有する。
羽根部材５２は、羽根部材５１に設けられた孔５１２と係合するボス５２１を有する略矩形の板であり、不図示の付勢部材により、ファインダ光路上方に付勢されている。
【００３６】
（動作に関する説明）
次に、動作について説明する。
撮影者は、レンズ交換等により、撮影レンズ１５をカメラボディ１０から取り外す前に、保護シャッター操作レバー４０を反時計回りに所定量回転させる。
腕部４１、４２、４３は、保護シャッター操作レバー４０を中心として同じく反時計回りにそれぞれ所定量移動するので、ボス４１１、４３１は、下方向へ移動し、ボス４２１は、上方向へ移動する。
羽根部材３１は、ボス４１１の下方向への移動により、下方向へ所定量移動する。このときに、孔３１２は、ボス３２１を端部３１２ａで下方向へ押すので、羽根部材３２は、不図示の付勢部材の付勢力に抗して、下方向へ所定量移動する。よって、羽根部材３１、３２は、シャッター１１の開口領域の上半分を覆う。
腕部３３及び羽根部材３４は、ボス４２１の上方向への移動により、上方向へ所定量移動する。このときに、孔３４１は、ボス３５１を端部３４１ｂで上方向へ押すので、羽根部材３５は、不図示の付勢部材の付勢力に抗して、上方向へ所定量移動する。よって、羽根部材３４、３５は、シャッター１１の開口領域の下半分を覆う。
以上の動作により、保護シャッター３０は、シャッター１１の開口領域全体を覆うように閉じることができる（なお、図３では、簡潔に図示するためにシャッター１１の開口領域は図示していない）。
【００３７】
また、保護シャッター操作レバー４０が反時計回りに所定量回転することにより、ボス４３１が下方向へ移動するので、羽根部材５１は、腕部４３と一体となって、下方向へ所定量移動して、ファインダ接眼窓２４の被写体像を遮る。羽根部材５１の下方向への移動により、孔５１２は、ボス５２１を端部５１２ａで下方向に押す。よって、羽根部材５２は、不図示の付勢部材の付勢力に抗して、下方向へ所定量移動し、ファインダ接眼窓２４の被写体像を遮る。
以上の動作により、アイピースシャッター５０は、ファインダ接眼窓２４の被写体像全体を遮ることができる。
【００３８】
撮影者は、撮影レンズ１５をカメラボディ１０に装着した後に、保護シャッター操作レバー４０を時計回りに所定量回転させる。
腕部４１、４２、４３は、保護シャッター操作レバー４０を中心として、同じく時計回りにそれぞれ所定量移動するので、ボス４１１、４３１は上方向へ移動し、ボス４２１は下方向へ移動する。
羽根部材３１は、ボス４１１の上方向への移動により、上方向へ所定量移動する。このときに、羽根部材３２は、不図示の付勢部材の付勢力により、羽根部材３１に追従して、上方向へ所定量移動する。よって、羽根部材３１、３２は、シャッター１１の開口領域の上方に退避される。
腕部３３及び羽根部材３４は、ボス４２１の下方向への移動により、下方向へ所定量移動する。このときに、羽根部材３５は、不図示の付勢部材の付勢力により、羽根部材３４に追従して、下方向へ所定量移動する。よって、羽根部材３４、３５は、シャッター１１の開口領域の下方に退避される。
以上の動作により、保護シャッター３０は、シャッター１１の開口領域から退避し、開くことができる。
【００３９】
また、保護シャッター操作レバー４０が時計回りに所定量回転することにより、ボス４３１が上方向へ移動するので、羽根部材５１は、腕部４３と一体となって、上方向へ所定量移動して、ファインダ光路上方に退避する。
羽根部材５２は、不図示の付勢部材の付勢力により、羽根部材５１に追従して、上方向へ所定量移動し、ファインダ光路上方に退避する。
以上の動作により、アイピースシャッター５０は、ファインダ光路上方に退避する。
【００４０】
本実施例によれば、レンズ交換等により撮影レンズ１５をカメラボディ１０から取り外す前に、保護シャッター操作レバー４０を反時計回りに所定量回転させて、保護シャッター３０を閉じることにより、撮像素子１３及びフィルター１２は、マウント１４側の空間から遮断される。よって、撮影レンズ１５を外したときに、撮像素子１３及びフィルター１２は、カメラボディ１０外部の環境に直接触れることはない。従って、撮像素子１３及びフィルター１２へのごみの付着を防止でき、ごみの付着によって生じる画像データへの悪影響を防止できる。
また、アイピースシャッター５０は、保護シャッター操作レバー４０の回転動作に連動しており、保護シャッター３０が閉じるときは、ファインダ接眼窓２４の被写体像全体を遮り、保護シャッター３０が開くときは、ファインダ光路上方に退避する。よって、アイピースシャッター５０が、ファインダ接眼窓２４の被写体像全体を遮ることにより、保護シャッター３０が閉じていることを撮影者に知らせることができ、保護シャッター３０を閉じたまま、誤って撮影してしまうことを防止できる。
【実施例２】
【００４１】
図４は、本発明の実施例２のデジタルカメラの断面図である。
実施例２のデジタルカメラは、実施例１におけるミラー１６及びサブミラー１７の保護シャッター操作レバー４０操作時の動作が異なること、アイピースシャッター５０及び腕部４３を設けていないこと、不図示の検知部を有することの他は、実施例１と同様である。よって、前述した実施例１と同様の機能を果たす部分には、同一の符号を付して、重複する説明を適宜省略する。
【００４２】
ミラー６１は、実施例１におけるミラー１６と同様に、少なくとも一部がハーフミラーである可動ミラーであり、撮影レンズ１５によりカメラボディ１０内部に導かれた被写体像をスクリーン１９へ導く。
サブミラー６２は、実施例１におけるサブミラー１７と同様に、ミラー６１を通過した被写体像の一部を、カメラボディ１０底部のＡＦ装置１８に導く可動ミラーである。
【００４３】
撮影者は、レンズ交換等により、撮影レンズ１５をカメラボディ１０から取り外す前に、保護シャッター操作レバー４０を反時計回りに所定量回転させる。このときに、不図示の検知部は、保護シャッター操作レバー４０の動作を電気的に検知して、不図示の制御部に伝える。不図示の制御部は、不図示の駆動部によりミラー６１及びサブミラー６２を、ミラーアップ状態へ駆動する。
よって、ミラー６１及びサブミラー６２は、ミラーアップ状態となり、被写体像がスクリーン１９へ入射することを遮る。
【００４４】
撮影レンズ１５を装着した後に、保護シャッター操作レバー４０を時計回りに所定量回転させる。このときに、不図示の検知部は、保護シャッター操作レバー４０の動作を電気的に検知し、不図示の制御部に伝える。不図示の制御部は、不図示の駆動部によりミラー６１及びサブミラー６２をミラーアップ状態から復帰させる。
【００４５】
本実施例によれば、ミラー６１及びサブミラー６２は、保護シャッター３０が閉じるときに、ミラーアップ状態となって、スクリーン１９へ入射する被写体像を遮り、遮光部として機能する。また、ミラー６１及びサブミラー６２は、保護シャッター３０が開くときに、ミラーアップ状態から復帰するので、撮影者は、被写体像をファインダ接眼窓２４から観察することができる。
よって、保護シャッター３０が閉じているときは、ファインダ接眼窓２４から被写体像は観察されないので、保護シャッター３０が閉じていることを撮影者に知らせることができ、保護シャッター３０を閉じたまま誤って撮影することを防止できる。
【００４６】
（変形例）
以上説明した実施例に限定されることなく、種々の変形や変更が可能であって、それらも本発明の均等の範囲内である。
（１）各実施例において、保護シャッター３０は、保護シャッター操作レバー４０を手動で操作して閉じる例を示したが、これに限らず、例えば、撮影レンズ１５の取り外し動作に連動して閉じるようにしてもよい。
【００４７】
（２）各実施例において、撮影者が保護シャッター３０を閉じた後に、撮影レンズ１５を取り外す例を示したが、これに限らず、例えば、保護シャッター３０を閉じない限り、撮影レンズ１５が取り外せないようにしてもよい。
【００４８】
（３）実施例１において、アイピースシャッター５０によりファインダ接眼窓２４の被写体像の全体を遮る例を示したが、これに限らず、例えば、被写体像の一部を遮るようにしてもよい。
【００４９】
（４）実施例１において、保護シャッター３０及びアイピースシャッター５０を保護シャッター操作レバー４０により手動で動作させる例を示したが、これに限らず、例えば、保護シャッター３０及びアイピースシャッター５０のいずれか一方、または、両方を電動で動作させてもよい。
【００５０】
（５）実施例２において、不図示の検知部は、保護シャッター操作レバー４０の動作を電気的に検知して、不図示の制御部に伝え、不図示の駆動部によりミラー６１及びサブミラー６２をミラーアップ状態へ駆動する例を示したが、これに限らず、例えば、不図示の検知部は、保護シャッター３０の開閉動作を検知してもよいし、撮影レンズ１５の取り外し動作を検知してもよい。
【００５１】
（６）実施例１において、保護シャッター３０を閉じたまま誤って撮影することを防止する誤撮影防止手段として、アイピースシャッター５０によりファインダ接眼窓２４の被写体像を遮る例を、また、実施例２において、ミラー６１及びサブミラー６２をミラーアップ状態とする例を示したが、これに限らず、例えば、誤撮影防止手段として、ファインダ視野内に記号等による警告の表示、音による警告の出力、カメラ外部に設けられたランプの点灯による警告の出力等、以上の少なくともいずれか一つを出力する出力部を設けてもよい。
【００５２】
（７）保護シャッター３０が閉じるとき及び／又は閉じているときに、撮影機能を制限する制限部により、レリーズ操作を行っても撮影ができないようにしてもよいし、これに加えて音や光による警告を出力する出力部を設けてもよい。
【図面の簡単な説明】
【００５３】
【図１】本発明の実施例１のデジタルカメラの断面図である。
【図２】本発明の実施例１のデジタルカメラにおいて、保護シャッター３０が開いている状態を示す透視図である。
【図３】本発明の実施例１のデジタルカメラにおいて、保護シャッター３０が閉じている状態を示す透視図である。
【図４】本発明の実施例２のデジタルカメラの断面図である。
【符号の説明】
【００５４】
１０  カメラボディ
１１  シャッター
１２  フィルター
１３  撮像素子
１４  マウント
１５  撮影レンズ
１６  ミラー
１７  サブミラー
１８  ＡＦ装置
１９  スクリーン
２１  ペンタミラー
２２  接眼絞り
２３  接眼レンズ
２４  ファインダ接眼窓
３０  保護シャッター
３１、３２、３４、３５  羽根部材
３３  腕部
４０  保護シャッター操作レバー
４１、４２、４３  腕部
５０  アイピースシャッター
５１、５２  羽根部材
６１  ミラー
６２  サブミラー
【図１】
2005266152.tif 000003
【図２】
2005266152.tif 000004
【図３】
2005266152.tif 000005
【図４】
2005266152.tif 000006